(57)【要約】  本開示は、レイヤ２処理方法、ＣＵおよびＤＵを提供する。ここで、前記レイヤ２処理方法において、チャネル再構築指示情報をＤＵに送信することと、ＤＵから送信される応答メッセージを受信することと、前記応答メッセージに基づき、ＲＲＣ再構成メッセージを生成することと、ＲＲＣ再構成メッセージをＵＥに送信し、ＵＥによって対応な処理が行われることとを含む。【選択図】図１
2021503241.tif 000002
【特許請求の範囲】
【請求項１】
ＣＵ（Ｃｅｎｔｒａｌ  Ｕｎｉｔ）に応用されるレイヤ２処理方法において、
チャネル再構築指示情報をＤＵ（Ｄｉｓｔｒｉｂｕｔｅｄ  Ｕｎｉｔ）に送信することと、
前記ＤＵから送信される応答メッセージを受信することと、
前記応答メッセージに基づき、ＲＲＣ（Ｒａｄｉｏ  Ｒｅｓｏｕｒｃｅ  Ｃｏｎｔｒｏｌ）再構成メッセージを生成することと、
前記ＲＲＣ再構成メッセージをＵＥ（Ｕｓｅｒ  Ｅｑｕｉｐｍｅｎｔ）に送信し、前記ＵＥによって対応な処理が行われることとを含む、レイヤ２処理方法。
【請求項２】
チャネル再構築指示情報をＤＵに送信することは、
前記ＤＵによるレイヤ２リセット処理、または、前記ＤＵによる同期再構成処理を指示するためのレイヤ２リセット指示情報または同期再構成指示情報を前記ＤＵに送信することを含む、請求項１に記載の方法。
【請求項３】
レイヤ２リセット指示情報または同期再構成指示情報を前記ＤＵに送信することは、
ＵＥコンテキスト修正メッセージの１つの指示ビットによって、前記レイヤ２リセット指示情報または同期再構成指示情報を前記ＤＵに送信すること、または、
ＵＥ移動指令メッセージによって、前記レイヤ２リセット指示情報または同期再構成指示情報を前記ＤＵに送信することを含む、請求項２に記載の方法。
【請求項４】
ＵＥ移動指令メッセージによって、前記レイヤ２リセット指示情報または同期再構成指示情報を前記ＤＵに送信することは、
ＵＥ移動指令メッセージにＲＲＣメッセージを付帯しない方式で、前記レイヤ２リセット指示情報または同期再構成指示情報を前記ＤＵに暗黙的に送信すること、または、
切り替え先セルが現在のサービングセルであることをＵＥ移動指令メッセージで明示的に示す方式で、前記レイヤ２リセット指示情報または同期再構成指示情報を前記ＤＵに送信することを含む、請求項２に記載の方法。
【請求項５】
前記ＤＵから送信される応答メッセージを受信することは、
前記ＤＵから送信される同期構成パラメータ情報を受信することを含む、請求項２に記載の方法。
【請求項６】
前記ＤＵから送信される同期構成パラメータ情報を受信することは、
前記ＤＵからＲＲＣコンテナ方式で送信される前記同期構成パラメータ情報を受信することを含む、請求項５に記載の方法。
【請求項７】
前記同期構成パラメータ情報は、同期用の専用アクセスリソース情報および／または新規目標リソースでのユーザＩＤを含む、請求項５に記載の方法。
【請求項８】
前記応答メッセージには、前記ＤＵから各ＤＲＢ（Ｄａｔａ  Ｒａｄｉｏ  Ｂｅａｒｅｒ）に新たに割り当てたダウンリンク伝送アドレスが付帯されている、請求項２に記載の方法。
【請求項９】
レイヤ２リセット指示情報または同期再構成指示情報を前記ＤＵに送信した後に、
前記ＵＥから受信したすべてのＤＲＢでのアップリンクＰＤＣＰ  ＰＤＵデータを前記ＤＵから受信し、前記ＤＵから送信されるダウンリンク伝送状態情報またはほかの新規データの伝送を要求する指示情報を受信することをさらに含む、請求項２に記載の方法。
【請求項１０】
前記ＤＵから送信されるダウンリンク伝送状態情報またはほかの新規データの伝送を要求する指示情報を受信した後に、
すべてのＤＲＢに対し新規キーをイネーブルにして暗号化及び復号を行うこと、または、
前記ＤＵからの応答メッセージに基づき、すべてのＤＲＢに対し新規キーをイネーブルにして暗号化及び復号を行うこと、または、
前記ＵＥからのＰＤＣＰ状態報告情報に基づき、すべてのＤＲＢに対し新規キーをイネーブルにして暗号化及び復号を行うこと、または、
前記ＵＥからのＲＲＣ再構成完了メッセージに基づき、すべてのＤＲＢに対し新規キーをイネーブルにして暗号化及び復号を行うこと、または、
前記レイヤ２リセット指示情報または同期再構成指示情報の送信後にイネーブルにされたローカルタイマがタイムオーバーになると、すべてのＤＲＢに対し新規キーをイネーブルにして暗号化及び復号を行うことをさらに含む、請求項９に記載の方法。
【請求項１１】
前記ダウンリンク伝送状態情報は、古いデータ伝送終了指示情報を含む、請求項９に記載の方法。
【請求項１２】
前記ＤＵから送信されるダウンリンク伝送状態情報またはほかの新規データの伝送を要求する指示情報を受信した後に、
任意の１つのＤＲＢのダウンリンク伝送状態情報またはほかの新規データの伝送を要求する指示情報に基づき、すべてのＳＲＢ（Ｓｉｇｎａｌｉｎｇ  Ｒａｄｉｏ  Ｂｅａｒｅｒ）に対し新規キーをイネーブルにして暗号化及び復号を行うこと、または、
前記ＤＵからの応答メッセージに基づき、すべてのＳＲＢに対し新規キーをイネーブルにして暗号化及び復号を行うこと、または、
前記レイヤ２リセット指示情報または同期再構成指示情報の送信後にイネーブルにされたローカルタイマがタイムオーバーになると、すべてのＳＲＢに対し新規キーをイネーブルにして暗号化及び復号を行うことをさらに含む、請求項９に記載の方法。
【請求項１３】
前記ＵＥによる対応な処理は、レイヤ２リセット処理またはすべてのベアラに対応する論理チャネルの再構築処理である、請求項２〜１２のいずれか一項に記載の方法。
【請求項１４】
前記チャネル再構築指示情報は、論理チャネル再構築が必要なベアラを指示し、前記論理チャネル再構築が必要なベアラに対し論理チャネル再構築処理を実行するよう前記ＤＵに指示することに用いられる、請求項１に記載の方法。
【請求項１５】
チャネル再構築指示情報をＤＵに送信することは、
ＵＥコンテキスト修正メッセージの１つの明示的な指示ビットによって、前記チャネル再構築指示情報を前記ＤＵに送信すること、または、
ＵＥコンテキスト修正メッセージでＤＲＢを追加または削除する方式で、前記チャネル再構築指示情報を前記ＤＵに暗黙的に送信することを含む、請求項１４に記載の方法。
【請求項１６】
前記ＤＵから送信される応答メッセージを受信することは、
前記ＤＵから送信される新規の論理チャネルＩＤ情報を受信することを含む、請求項１４に記載の方法。
【請求項１７】
前記ＤＵから送信される新規の論理チャネルＩＤ情報を受信することは、
前記ＤＵからＲＲＣコンテナ方式で送信される前記新規の論理チャネルＩＤ情報を受信することを含む、請求項１６に記載の方法。
【請求項１８】
前記応答メッセージには、前記ＤＵから前記論理チャネル再構築が必要なベアラに対し新たに割り当てたダウンリンク伝送アドレスが付帯されている、請求項１４に記載の方法。
【請求項１９】
チャネル再構築指示情報をＤＵに送信した後に、
前記ＵＥから受信した前記論理チャネル再構築が必要なベアラでのアップリンクＰＤＣＰ  ＰＤＵデータを前記ＤＵから受信し、前記ＤＵから送信されるダウンリンク伝送状態情報またはほかの新規データの伝送を要求する指示情報を受信することをさらに含む、請求項１４に記載の方法。
【請求項２０】
前記ＤＵから送信されるダウンリンク伝送状態情報またはほかの新規データの伝送を要求する指示情報を受信した後に、
前記アップリンクＰＤＣＰ  ＰＤＵデータに対応するＰＤＵを処理することをさらに含む、請求項１９に記載の方法。
【請求項２１】
前記ダウンリンク伝送状態情報は、古いデータ伝送終了指示情報を含む、請求項１９に記載の方法。
【請求項２２】
前記ＵＥによる対応な処理は、前記論理チャネル再構築が必要なベアラに対応する論理チャネルの再構築処理である、請求項１４〜２１のいずれか一項に記載の方法。
【請求項２３】
ＤＵに応用されるレイヤ２処理方法において、
ＣＵから送信されるチャネル再構築指示情報を受信することと、
前記ＣＵに応答メッセージを送信することとを含み、
前記ＣＵは、前記応答メッセージに基づき、ＲＲＣ再構成メッセージを生成し、前記ＲＲＣ再構成メッセージをＵＥに送信し、前記ＵＥによって対応な処理が行われる、レイヤ２処理方法。
【請求項２４】
前記のＣＵから送信されるチャネル再構築指示情報を受信することは、
前記ＤＵによるレイヤ２リセット処理、または、前記ＤＵによる同期再構成処理を指示するためのレイヤ２リセット指示情報または同期再構成指示情報を前記ＣＵから受信することを含む、請求項２３に記載の方法。
【請求項２５】
前記のレイヤ２リセット指示情報または同期再構成指示情報を前記ＣＵから受信することは、
前記ＣＵからＵＥコンテキスト修正メッセージの１つの指示ビットによって送信される前記レイヤ２リセット指示情報または同期再構成指示情報を受信すること、または、
前記ＣＵからＵＥ移動指令メッセージによって送信される前記レイヤ２リセット指示情報または同期再構成指示情報を受信することを含む、請求項２４に記載の方法。
【請求項２６】
前記の前記ＣＵに応答メッセージを送信することは、
同期構成パラメータ情報を前記ＣＵに送信することを含む、請求項２４に記載の方法。
【請求項２７】
前記の同期構成パラメータ情報を前記ＣＵに送信することは、
前記同期構成パラメータ情報をＲＲＣコンテナ方式で前記ＣＵに送信することを含む、請求項２６に記載の方法。
【請求項２８】
前記応答メッセージには、前記ＤＵから各ＤＲＢに新たに割り当てたダウンリンク伝送アドレスが付帯されている、請求項２４に記載の方法。
【請求項２９】
前記の前記ＣＵから送信されるレイヤ２リセット指示情報または同期再構成指示情報を受信した後に、
前記レイヤ２リセット指示情報または同期再構成指示情報に基づき、レイヤ２リセット処理または同期再構成処理を実行することをさらに含む、請求項２４に記載の方法。
【請求項３０】
前記の前記レイヤ２リセット指示情報または同期再構成指示情報に基づき、レイヤ２リセット処理または同期再構成処理を実行することは、
エアインターフェース伝送を停止し、前記ＵＥから受信したすべてのＤＲＢでのアップリンクＰＤＣＰ  ＰＤＵデータを前記ＣＵに乱順に引き渡すことと、
ダウンリンク伝送状態情報またはほかの新規データの伝送を要求する指示情報を前記ＣＵに送信することと、
前記ＵＥに対応する各バッファエリアのすべてのデータパケットをクリアすることとを含む、請求項２９に記載の方法。
【請求項３１】
前記ダウンリンク伝送状態情報は、古いデータ伝送終了指示情報を含む、請求項３０に記載の方法。
【請求項３２】
前記チャネル再構築指示情報は、論理チャネル再構築が必要なベアラを指示し、前記論理チャネル再構築が必要なベアラに対し論理チャネル再構築処理を実行するよう前記ＤＵに指示することに用いられる、請求項２３に記載の方法。
【請求項３３】
前記の前記ＣＵから送信されるチャネル再構築指示情報を受信することは、
前記ＣＵからＵＥコンテキスト修正メッセージの１つの明示的な指示ビットによって送信される前記チャネル再構築指示情報を受信すること、または、
前記ＣＵから、ＵＥコンテキスト修正メッセージでＤＲＢを追加または削除する方式で暗黙的に送信される前記チャネル再構築指示情報を受信することを含む、請求項３２に記載の方法。
【請求項３４】
前記の前記ＣＵに応答メッセージを送信することは、
新規の論理チャネルＩＤ情報を前記ＣＵに送信することを含む、請求項３２に記載の方法。
【請求項３５】
前記の新規の論理チャネルＩＤ情報を前記ＣＵに送信することは、
前記新規の論理チャネルＩＤ情報をＲＲＣコンテナ方式で前記ＣＵに送信することを含む、請求項３４に記載の方法。
【請求項３６】
前記応答メッセージには、前記ＤＵから前記論理チャネル再構築が必要なベアラに対し新たに割り当てたダウンリンク伝送アドレスが付帯されている、請求項３２に記載の方法。
【請求項３７】
前記のＣＵから送信されるチャネル再構築指示情報を受信した後に、
前記チャネル再構築指示情報に基づき、前記論理チャネル再構築が必要なベアラに対し論理チャネル再構築処理を実行することをさらに含む、請求項３２に記載の方法。
【請求項３８】
前記の前記チャネル再構築指示情報に基づき、前記論理チャネル再構築が必要なベアラに対し論理チャネル再構築処理を実行することは、
前記ＵＥから受信した前記論理チャネル再構築が必要なベアラでのアップリンクＰＤＣＰ  ＰＤＵデータを前記ＣＵに乱順に引き渡すことと、
ダウンリンク伝送状態情報またはほかの新規データの伝送を要求する指示情報を前記ＣＵに送信することと、
前記論理チャネル再構築が必要なベアラに対応する各バッファエリアのすべてのデータパケットをクリアすることとを含む、請求項３７に記載の方法。
【請求項３９】
前記ダウンリンク伝送状態情報は、古いデータ伝送終了指示情報を含む、請求項３８に記載の方法。
【請求項４０】
有線インタフェースと、トランシーバと、メモリと、プロセッサと、前記メモリに記憶されて前記プロセッサで実行可能なコンピュータプログラムを含むＣＵであって、
前記有線インタフェースは、チャネル再構築指示情報をＤＵに送信し、前記ＤＵから送信される応答メッセージを受信することに用いられ、
前記プロセッサは、前記メモリからプログラムを読み取ることによって、前記応答メッセージに基づいてＲＲＣ再構成メッセージを生成するプロセスを実行することに用いられ、
前記トランシーバは、前記ＲＲＣ再構成メッセージをＵＥに送信することに用いられ、前記ＵＥによって対応な処理が行われる、ＣＵ。
【請求項４１】
前記有線インタフェースは、さらに、前記ＤＵによるレイヤ２リセット処理、または、前記ＤＵによる同期再構成処理を指示するためのレイヤ２リセット指示情報または同期再構成指示情報を前記ＤＵに送信することに用いられる、請求項４０に記載のＣＵ。
【請求項４２】
前記有線インタフェースは、さらに、
ＵＥコンテキスト修正メッセージの１つの指示ビットによって、前記レイヤ２リセット指示情報または同期再構成指示情報を前記ＤＵに送信すること、または、
ＵＥ移動指令メッセージによって、前記レイヤ２リセット指示情報または同期再構成指示情報を前記ＤＵに送信することに用いられる、請求項４１に記載のＣＵ。
【請求項４３】
前記有線インタフェースは、さらに、
ＵＥ移動指令メッセージにＲＲＣメッセージを付帯しない方式で、前記レイヤ２リセット指示情報または同期再構成指示情報を前記ＤＵに暗黙的に送信すること、または、
切り替え先セルが現在のサービングセルであることをＵＥ移動指令メッセージで明示的に示す方式で、前記レイヤ２リセット指示情報または同期再構成指示情報を前記ＤＵに送信することに用いられる、請求項４１に記載のＣＵ。
【請求項４４】
前記有線インタフェースは、さらに、
前記ＤＵから送信される同期構成パラメータ情報を受信することに用いられる、請求項４１に記載のＣＵ。
【請求項４５】
前記有線インタフェースは、さらに、
前記ＤＵからＲＲＣコンテナ方式で送信される前記同期構成パラメータ情報を受信することに用いられる、請求項４４に記載のＣＵ。
【請求項４６】
前記同期構成パラメータ情報は、同期用の専用アクセスリソース情報および／または新規目標リソースでのユーザＩＤを含む、請求項４４に記載のＣＵ。
【請求項４７】
前記応答メッセージには、前記ＤＵから各ＤＲＢに新たに割り当てたダウンリンク伝送アドレスが付帯されている、請求項４１に記載のＣＵ。
【請求項４８】
レイヤ２リセット指示情報または同期再構成指示情報を前記ＤＵに送信した後に、前記有線インタフェースは、さらに、
前記ＵＥから受信したすべてのＤＲＢでのアップリンクＰＤＣＰ  ＰＤＵデータを前記ＤＵから受信し、前記ＤＵから送信されるダウンリンク伝送状態情報またはほかの新規データの伝送を要求する指示情報を受信することに用いられる、請求項４１に記載のＣＵ。
【請求項４９】
ＤＵから送信されるダウンリンク伝送状態情報またはほかの新規データの伝送を要求する指示情報を受信した後に、前記プロセッサは、さらに、
すべてのＤＲＢに対し新規キーをイネーブルにして暗号化及び復号を行うこと、または、
前記ＤＵからの応答メッセージに基づき、すべてのＤＲＢに対し新規キーをイネーブルにして暗号化及び復号を行うこと、または、
前記ＵＥからのＰＤＣＰ状態報告情報に基づき、すべてのＤＲＢに対し新規キーをイネーブルにして暗号化及び復号を行うこと、または、
前記ＵＥからのＲＲＣ再構成完了メッセージに基づき、すべてのＤＲＢに対し新規キーをイネーブルにして暗号化及び復号を行うこと、または、
前記レイヤ２リセット指示情報または同期再構成指示情報の送信後にイネーブルにされたローカルタイマがタイムオーバーになると、すべてのＤＲＢに対し新規キーをイネーブルにして暗号化及び復号を行うことに用いられる、請求項４８に記載のＣＵ。
【請求項５０】
前記ダウンリンク伝送状態情報は、古いデータ伝送終了指示情報を含む、請求項４８に記載のＣＵ。
【請求項５１】
ＤＵから送信されるダウンリンク伝送状態情報またはほかの新規データの伝送を要求する指示情報を受信した後に、前記プロセッサは、さらに、
任意の１つのＤＲＢのダウンリンク伝送状態情報またはほかの新規データの伝送を要求する指示情報に基づき、すべてのＳＲＢに対し新規キーをイネーブルにして暗号化及び復号を行うこと、または、
前記ＤＵからの応答メッセージに基づき、すべてのＳＲＢに対し新規キーをイネーブルにして暗号化及び復号を行うこと、または、
前記レイヤ２リセット指示情報または同期再構成指示情報の送信後にイネーブルにされたローカルタイマがタイムオーバーになると、すべてのＳＲＢに対し新規キーをイネーブルにして暗号化及び復号を行うことに用いられる、請求項４８に記載のＣＵ。
【請求項５２】
前記ＵＥによる対応な処理は、レイヤ２リセット処理またはすべてのベアラに対応する論理チャネルの再構築処理である、請求項４１〜５１のいずれか一項に記載のＣＵ。
【請求項５３】
前記チャネル再構築指示情報は、論理チャネル再構築が必要なベアラを指示し、前記論理チャネル再構築が必要なベアラに対し論理チャネル再構築処理を実行するよう前記ＤＵに指示することに用いられる、請求項４０に記載のＣＵ。
【請求項５４】
前記有線インタフェースは、さらに、
ＵＥコンテキスト修正メッセージの１つの明示的な指示ビットによって、前記チャネル再構築指示情報を前記ＤＵに送信すること、または、
ＵＥコンテキスト修正メッセージでＤＲＢを追加または削除する方式で、前記チャネル再構築指示情報を前記ＤＵに暗黙的に送信することに用いられる、請求項５３に記載のＣＵ。
【請求項５５】
前記有線インタフェースは、さらに、
前記ＤＵから送信される新規の論理チャネルＩＤ情報を受信することに用いられる、請求項５３に記載のＣＵ。
【請求項５６】
前記有線インタフェースは、さらに、
前記ＤＵからＲＲＣコンテナ方式で送信される前記新規の論理チャネルＩＤ情報を受信することに用いられる、請求項５５に記載のＣＵ。
【請求項５７】
前記応答メッセージには、前記ＤＵから前記論理チャネル再構築が必要なベアラに対し新たに割り当てたダウンリンク伝送アドレスが付帯されている、請求項５３に記載のＣＵ。
【請求項５８】
チャネル再構築指示情報をＤＵに送信した後に、前記有線インタフェースは、さらに、
前記ＵＥから受信した前記論理チャネル再構築が必要なベアラでのアップリンクＰＤＣＰ  ＰＤＵデータを前記ＤＵから受信し、前記ＤＵから送信されるダウンリンク伝送状態情報またはほかの新規データの伝送を要求する指示情報を受信することに用いられる、請求項５３に記載のＣＵ。
【請求項５９】
ＤＵから送信されるダウンリンク伝送状態情報またはほかの新規データの伝送を要求する指示情報を受信した後に、前記プロセッサは、さらに、
前記アップリンクＰＤＣＰ  ＰＤＵデータに対応するＰＤＵを処理することに用いられる、請求項５８に記載のＣＵ。
【請求項６０】
前記ダウンリンク伝送状態情報は、古いデータ伝送終了指示情報を含む、請求項５８に記載のＣＵ。
【請求項６１】
前記ＵＥによる対応な処理は、前記論理チャネル再構築が必要なベアラに対応する論理チャネルの再構築処理である、請求項５３〜６０のいずれか一項に記載のＣＵ。
【請求項６２】
有線インタフェースと、トランシーバと、メモリと、プロセッサと、前記メモリに記憶されて前記プロセッサで実行可能なコンピュータプログラムを含むＤＵであって、
前記有線インタフェースは、ＣＵから送信されるチャネル再構築指示情報を受信し、前記ＣＵに応答メッセージを送信することに用いられ、
前記ＣＵは、前記応答メッセージに基づき、ＲＲＣ再構成メッセージを生成し、前記ＲＲＣ再構成メッセージをＵＥに送信し、前記ＵＥによって対応な処理が行われる、ＤＵ。
【請求項６３】
前記有線インタフェースは、さらに、
前記ＤＵによるレイヤ２リセット処理、または、前記ＤＵによる同期再構成処理を指示するためのレイヤ２リセット指示情報または同期再構成指示情報を前記ＣＵから受信することに用いられる、請求項６２に記載のＤＵ。
【請求項６４】
前記有線インタフェースは、さらに、
前記ＣＵからＵＥコンテキスト修正メッセージの１つの指示ビットによって送信される前記レイヤ２リセット指示情報または同期再構成指示情報を受信すること、または、
前記ＣＵからＵＥ移動指令メッセージによって送信される前記レイヤ２リセット指示情報または同期再構成指示情報を受信することに用いられる、請求項６３に記載のＤＵ。
【請求項６５】
前記有線インタフェースは、さらに、
同期構成パラメータ情報を前記ＣＵに送信することに用いられる、請求項６３に記載のＤＵ。
【請求項６６】
前記有線インタフェースは、さらに、
前記同期構成パラメータ情報をＲＲＣコンテナ方式で前記ＣＵに送信することに用いられる、請求項６５に記載のＤＵ。
【請求項６７】
前記応答メッセージには、前記ＤＵから各ＤＲＢに新たに割り当てたダウンリンク伝送アドレスが付帯されている、請求項６３に記載のＤＵ。
【請求項６８】
前記ＣＵから送信されるレイヤ２リセット指示情報または同期再構成指示情報を受信した後に、前記プロセッサは、さらに、
前記レイヤ２リセット指示情報または同期再構成指示情報に基づき、レイヤ２リセット処理または同期再構成処理を実行することに用いられる、請求項６３に記載のＤＵ。
【請求項６９】
前記有線インタフェースは、さらに、
エアインターフェース伝送を停止し、前記ＵＥから受信したすべてのＤＲＢでのアップリンクＰＤＣＰ  ＰＤＵデータを前記ＣＵに乱順に引き渡し、ダウンリンク伝送状態情報またはほかの新規データの伝送を要求する指示情報を前記ＣＵに送信することに用いられ、
前記プロセッサは、前記ＵＥに対応する各バッファエリアのすべてのデータパケットをクリアすることに用いられる、請求項６８に記載のＤＵ。
【請求項７０】
前記ダウンリンク伝送状態情報は、古いデータ伝送終了指示情報を含む、請求項６９に記載のＤＵ。
【請求項７１】
前記チャネル再構築指示情報は、論理チャネル再構築が必要なベアラを指示し、前記論理チャネル再構築が必要なベアラに対し論理チャネル再構築処理を実行するよう前記ＤＵに指示することに用いられる、請求項６２に記載のＤＵ。
【請求項７２】
前記有線インタフェースは、さらに、
前記ＣＵからＵＥコンテキスト修正メッセージの１つの明示的な指示ビットによって送信される前記チャネル再構築指示情報を受信すること、または、
前記ＣＵから、ＵＥコンテキスト修正メッセージでＤＲＢを追加または削除する方式で暗黙的に送信される前記チャネル再構築指示情報を受信することに用いられる、請求項７１に記載のＤＵ。
【請求項７３】
前記有線インタフェースは、さらに、
新規の論理チャネルＩＤ情報を前記ＣＵに送信することに用いられる、請求項７１に記載のＤＵ。
【請求項７４】
前記有線インタフェースは、さらに、
前記新規の論理チャネルＩＤ情報をＲＲＣコンテナ方式で前記ＣＵに送信することに用いられる、請求項７３に記載のＤＵ。
【請求項７５】
前記応答メッセージには、前記ＤＵから前記論理チャネル再構築が必要なベアラに対し新たに割り当てたダウンリンク伝送アドレスが付帯されている、請求項７１に記載のＤＵ。
【請求項７６】
ＣＵから送信されるチャネル再構築指示情報を受信した後に、前記プロセッサは、さらに、
前記チャネル再構築指示情報に基づき、前記論理チャネル再構築が必要なベアラに対し論理チャネル再構築処理を実行することに用いられる、請求項７１に記載のＤＵ。
【請求項７７】
前記有線インタフェースは、さらに、
前記ＵＥから受信した前記論理チャネル再構築が必要なベアラでのアップリンクＰＤＣＰ  ＰＤＵデータを前記ＣＵに乱順に引き渡し、ダウンリンク伝送状態情報またはほかの新規データの伝送を要求する指示情報を前記ＣＵに送信することに用いられ、
前記プロセッサは、さらに、前記論理チャネル再構築が必要なベアラに対応する各バッファエリアのすべてのデータパケットをクリアすることに用いられる、請求項７６に記載のＤＵ。
【請求項７８】
前記ダウンリンク伝送状態情報は、古いデータ伝送終了指示情報を含む、請求項７７に記載のＤＵ。
【請求項７９】
メモリと、プロセッサと、前記メモリに記憶されて前記プロセッサで実行可能なプログラムを含むネットワークユニットであって、
前記コンピュータプログラムが前記プロセッサによって実行されると、請求項１〜３９のいずれか一項に記載のレイヤ２処理方法のステップが実現される、ネットワークユニット。
【請求項８０】
コンピュータプログラムが記憶されているコンピュータ読み取り可能な記憶媒体であって、
前記コンピュータプログラムがプロセッサによって実行されると、請求項１〜３９のいずれか一項に記載のレイヤ２処理方法のステップが実現される、コンピュータ読み取り可能な記憶媒体。
【発明の詳細な説明】
【技術分野】
【０００１】
本願は、２０１７年１１月１５日に中国特許庁に提出された中国特許出願２０１７１１１２８５１１．１の優先権を主張し、その全ての内容が援用によりここに取り込まれる。
本開示は、通信技術分野に係り、特にレイヤ２処理方法、ＣＵおよびＤＵに係る。
【背景技術】
【０００２】
移動通信システムの将来の発展において、より一層ユーザのニーズに応じられるには、ネットワーク容量とスループットを大きく向上させるが、必ずより多くの伝送ノードおよびより大きな伝送帯域幅を導入することになる。５Ｇ（５ｔｈ−Ｇｅｎｅｒａｔｉｏｎ）システムにおいて、より大きな帯域幅およびより大きな伝送レートを有するために、高周波のスモール基地局の導入は、必然な傾向となっている。高周波のスモール基地局に対するローカル集約化管理によって、集約処理ゲインをもたらすため、ＣＵ（Ｃｅｎｔｒａｌ  Ｕｎｉｔ）−ＤＵ（Ｄｉｓｔｒｉｂｕｔｅｄ  Ｕｎｉｔ）アーキテクチャが導入されている。
【０００３】
現在、ＬＴＥ（Ｌｏｎｇ  Ｔｅｒｍ  Ｅｖｏｌｕｔｉｏｎ）システムにおいて、ネットワーク側のノード同士の多くは、有線接続が行われる。すなわちｅＮＢの間は、有線リンクによって接続され、ｅＮＢと、ＭＭＥ（Ｍｏｂｉｌｉｔｙ  Ｍａｎａｇｅｍｅｎｔ  Ｅｎｔｉｔｙ）やＳ−ＧＷ（Ｓｅｒｖｉｎｇ  ＧａｔｅＷａｙ）などのコアネットワークノードとの間でも、有線リンクによって接続される。マルチ接続技術では、ＭＮ（Ｍａｉｎ  Ｎｏｄｅ）は、ＳＮ（Ｓｌａｖｅ  Ｎｏｄｅ）修正プロセスによって、ＳＮの同期再構成プロセスをトリガーすることができる。
【０００４】
ＣＵ−ＤＵアーキテクチャでは、ｇＮＢにはＣＵとＤＵを含む。ＣＵは、移動性管理やＵＥ（Ｕｓｅｒ  Ｅｑｕｉｐｍｅｎｔ）のＲＲＣ（Ｒａｄｉｏ  Ｒｅｓｏｕｒｃｅ  Ｃｏｎｔｒｏｌ）など、ｇＮＢの主要な機能を司り、ＤＵは、ｇＮＢのサブ機能を司り、ＤＵの処理がＣＵに制御される。
【０００５】
関連技術において、すべてのＲＡＮ（Ｒａｄｉｏ  Ａｃｃｅｓｓ  Ｎｅｔｗｏｒｋ）処理は、すべてｅＮＢで完成され、フローが簡単で明晰である。しかし、ＣＵ−ＤＵアーキテクチャの導入後に、ベアラ変換やセキュリティキー更新などを含む重要な機能を完成させるには、ＣＵとＤＵとはどのように連携するかについて、まだ明確な解決策がない。
【発明の概要】
【発明が解決しようとする課題】
【０００６】
本開示の実施例は、レイヤ２処理方法、ＣＵおよびＤＵを提供し、ベアラ変換やセキュリティキー更新などを含む重要な機能を完成させるには、ＣＵ−ＤＵアーキテクチャではＣＵとＤＵとの連携を明確化する。
【課題を解決するための手段】
【０００７】
第１方面において、本開示の実施例は、ＣＵに応用されるレイヤ２処理方法を提供する。当該方法において、チャネル再構築指示情報をＤＵに送信することと、前記ＤＵから送信される応答メッセージを受信することと、前記応答メッセージに基づき、ＲＲＣ再構成メッセージを生成することと、前記ＲＲＣ再構成メッセージをＵＥに送信し、前記ＵＥによって対応な処理が行われることとを含む。
【０００８】
第２方面において、本開示の実施例は、ＤＵに応用されるレイヤ２処理方法をさらに提供する。当該方法において、ＣＵから送信されるチャネル再構築指示情報を受信することと、前記ＣＵに応答メッセージを送信することとを含み、前記ＣＵは、前記応答メッセージに基づき、ＲＲＣ再構成メッセージを生成し、前記ＲＲＣ再構成メッセージをＵＥに送信し、前記ＵＥによって対応な処理が行われる。
【０００９】
第３方面において、本開示の実施例は、有線インタフェースと、トランシーバと、メモリと、プロセッサと、前記メモリに記憶されて前記プロセッサで実行可能なコンピュータプログラムを含むＣＵをさらに提供する。ここで、前記有線インタフェースは、チャネル再構築指示情報をＤＵに送信し、前記ＤＵから送信される応答メッセージを受信することに用いられる。前記プロセッサは、前記メモリからプログラムを読み取ることによって、前記応答メッセージに基づいてＲＲＣ再構成メッセージを生成するプロセスを実行することに用いられる。前記トランシーバは、前記ＲＲＣ再構成メッセージをＵＥに送信することに用いられ、前記ＵＥによって対応な処理が行われる。
【００１０】
第４方面において、本開示の実施例は、有線インタフェースと、トランシーバと、メモリと、プロセッサと、前記メモリに記憶されて前記プロセッサで実行可能なコンピュータプログラムを含むＤＵをさらに提供する。ここで、前記有線インタフェースは、ＣＵから送信されるチャネル再構築指示情報を受信し、前記ＣＵに応答メッセージを送信することに用いられる。前記ＣＵは、前記応答メッセージに基づき、ＲＲＣ再構成メッセージを生成し、前記ＲＲＣ再構成メッセージをＵＥに送信し、前記ＵＥによって対応な処理が行われる。
【００１１】
第５方面において、本開示の実施例は、メモリと、プロセッサと、前記メモリに記憶されて前記プロセッサで実行可能なプログラムを含むネットワークユニットをさらに提供する。ここで、前記コンピュータプログラムが前記プロセッサによって実行されると、上記レイヤ２処理方法のステップが実現される。
【００１２】
第６方面において、本開示の実施例は、コンピュータプログラムが記憶されているコンピュータ読み取り可能な記憶媒体をさらに提供する。ここで、前記コンピュータプログラムがプロセッサによって実行されると、上記レイヤ２処理方法のステップが実現される。
【発明の効果】
【００１３】
本開示の実施例において、チャネル再構築指示情報をＤＵに送信し、ＤＵから送信される応答メッセージを受信し、応答メッセージに基づいてＲＲＣ再構成メッセージを生成し、ＲＲＣ再構成メッセージをＵＥに送信し、ＵＥによって対応な処理が行われることによって、ＣＵは、特定なレイヤ２行為を実行して異なる特性ニーズを満たすようにＤＵを制御し、ＤＵも、ＣＵからの指示に基づいて特定な行為を実行することができる。よって、ＣＵ−ＤＵアーキテクチャではＣＵとＤＵとの連携を明確化して、ベアラ変換やセキュリティキー更新などを含む重要な機能を完成させ、システム効率を高め、ユーザ体験を向上させる。
【００１４】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１５】
【図１】図１は、本開示の一実施例におけるレイヤ２処理方法のフローチャートである。
【図２】図２は、本開示の別の実施例におけるレイヤ２処理方法のフローチャートである。
【図３】図３は、本開示の別の実施例におけるレイヤ２処理方法のフローチャートである。
【図４】図４は、本開示の実例１におけるレイヤ２処理プロセスのフローチャートである。
【図５】図５は、本開示の実例２におけるレイヤ２処理プロセスのフローチャートである。
【図６】図６は、本開示の実例３におけるレイヤ２処理プロセスのフローチャートである。
【図７】図７は、本開示の実例４におけるレイヤ２処理プロセスのフローチャートである。
【図８】図８は、本開示の別の実施例におけるレイヤ２処理方法のフローチャートである。
【図９】図９は、本開示の実施例におけるＣＵの構造図である。
【図１０】図１０は、本開示の実施例におけるＤＵの構造図である。
【図１１】図１１は、本開示の実施例におけるネットワークユニットの構造図である。
【発明を実施するための形態】
【００１６】
以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造性のある作業をせずに為しえる全ての実施例は、いずれも本開示の保護範囲に属するものである。
【００１７】
図１に示すように、本開示の実施例のＣＵに応用されるレイヤ２処理方法において、以下のステップを含む。
【００１８】
ステップ１０１において、チャネル再構築指示情報をＤＵに送信する。
【００１９】
ここで、チャネル再構築指示情報は、レイヤ２リセット処理（すなわち同期再構成処理）を実行するようにＤＵに指示し、又は論理チャネル再構築が必要なベアラに対する論理チャネル再構築処理を実行するようにＤＵに指示するためのレイヤ２リセット指示情報または同期再構成指示情報である。
【００２０】
なお、本開示の実施例における実行主体は、具体的にＣＵ制御プレーン（ＣＵ−ＣＰ）であり、すなわちＣＵ−ＣＰによってレイヤ２処理プロセスを行う。
【００２１】
ステップ１０２において、ＤＵから送信される応答メッセージを受信する。
【００２２】
なお、チャネル再構築指示情報が、レイヤ２リセット処理または同期再構成処理を実行するようにＤＵに指示することに用いられる場合、対応する応答メッセージには、たとえばＲＡＣＨ（Ｒａｎｄｏｍ  Ａｃｃｅｓｓ  Ｃｈａｎｎｅｌ）構成情報などの同期構成パラメータ情報が付帯されている。チャネル再構築指示情報が、論理チャネル再構築が必要なベアラに対する論理チャネル再構築処理を実行するようにＤＵに指示することに用いられる場合、対応する応答メッセージには、新規の論理チャネルＩＤ情報が付帯されている。
【００２３】
ステップ１０３において、応答メッセージに基づき、ＲＲＣ再構成メッセージを生成する。
【００２４】
ステップ１０４において、ＲＲＣ再構成メッセージをＵＥに送信し、ＵＥによって対応な処理が行われる。
【００２５】
ここで、ＣＵは、ＲＲＣ再構成メッセージをＵＥに送信する場合、ＣＵとＵＥとの間の接続リンクによってＲＲＣ再構成メッセージを直接ＵＥに送信してもよく、基地局の中継によってＲＲＣ再構成メッセージを間接的にＵＥに送信してもよい。
【００２６】
本開示の実施例のレイヤ２処理方法において、チャネル再構築指示情報をＤＵに送信し、ＤＵから送信される応答メッセージを受信し、応答メッセージに基づいてＲＲＣ再構成メッセージを生成し、ＲＲＣ再構成メッセージをＵＥに送信し、ＵＥによって対応な処理が行われることによって、ＣＵは、特定なレイヤ２行為を実行して異なる特性ニーズを満たすようにＤＵを制御し、ＤＵも、ＣＵからの指示に基づいて特定な行為を実行することができる。よって、ＣＵ−ＤＵアーキテクチャではＣＵとＤＵとの連携を明確化して、ベアラ変換やセキュリティキー更新などを含む重要な機能を完成させ、システム効率を高め、ユーザ体験を向上させる。
【００２７】
図２に示すように、本開示の別の実施例は、ＣＵに応用されるレイヤ２処理方法をさらに提供し、以下のステップを含む。
【００２８】
ステップ２０１において、レイヤ２リセット指示情報または同期再構成指示情報をＤＵに送信する。
【００２９】
ここで、レイヤ２リセット指示情報は、同期再構成指示情報と称されてもよく、両者の指示情報が同じである。レイヤ２リセット指示情報または同期再構成指示情報は、レイヤ２リセット処理、または、同期再構成処理を実行するようにＤＵに指示することに用いられる。ＤＵによるレイヤ２リセット処理または同期再構成処理は、ＭＡＣ（Ｍｅｄｉａ  Ａｃｃｅｓｓ  Ｃｏｎｔｒｏｌ）リセット処理、すべてのＲＬＣ（Ｒａｄｉｏ  Ｌｉｎｋ  Ｃｏｎｔｒｏｌ）エンティティの再構築処理などを含むが、それらに限られない。
【００３０】
本開示の実施例において、ＣＵから、レイヤ２リセット指示情報または同期再構成指示情報をＤＵに送信するプロセスとして、ＣＵから、ＵＥコンテキスト修正メッセージの１つの指示ビットによって、レイヤ２リセット指示情報または同期再構成指示情報をＤＵに送信し、または、ＣＵから、ＵＥ移動指令メッセージによって、レイヤ２リセット指示情報または同期再構成指示情報をＤＵに送信する。
【００３１】
ここで、ＣＵから、ＵＥ移動指令メッセージによってレイヤ２リセット指示情報または同期再構成指示情報をＤＵに送信する場合、ＵＥ移動指令メッセージにＲＲＣメッセージを付帯しない方式で、レイヤ２リセット指示情報または同期再構成指示情報をＤＵに暗黙的に送信し、または、切り替え先セルが現在のサービングセルであることをＵＥ移動指令メッセージで明示的に示す方式で、レイヤ２リセット指示情報または同期再構成指示情報をＤＵに送信する。
【００３２】
ステップ２０２において、ＤＵから送信される同期構成パラメータ情報を受信する。
【００３３】
ここで、同期構成パラメータ情報は、後にＵＥに使用されるよう、ＤＵからＣＵに送信される応答メッセージに付帯されて送信される。ＣＵは、ＤＵから送信される同期構成パラメータ情報を受信する場合、ＤＵからＲＲＣコンテナ方式で送信される同期構成パラメータ情報を受信する。すなわち、ＤＵは、ＲＲＣコンテナ方式で同期構成パラメータ情報を送信することができる。さらに、ＤＵから送信される同期構成パラメータ情報には、同期用の専用アクセスリソース情報および／または新規目標リソースでのユーザＩＤのＣＲＮＴＩなどを含む。
【００３４】
本開示の実施例において、ＤＵからＣＵに送信される応答メッセージには、同期構成パラメータ情報が付帯されるほか、ＣＵによる使用のために、ＤＵから各ＤＲＢ（Ｄａｔａ  Ｒａｄｉｏ  Ｂｅａｒｅｒ）に新たに割り当てたダウンリンク伝送アドレス（たとえばトンネルＩＤなど）も付帯されている。当該新たに割り当てたダウンリンク伝送アドレスは、インタフェース情報エレメントの形式で伝送される。
【００３５】
ステップ２０３において、同期構成パラメータ情報に基づき、ＲＲＣ再構成メッセージを生成する。
【００３６】
ここで、ＲＲＣ再構成メッセージには、ＤＵからの同期構成パラメータ情報が付帯される。
【００３７】
ステップ２０４において、ＲＲＣ再構成メッセージをＵＥに送信し、ＵＥによって対応な処理が行われる。
【００３８】
なお、ＵＥによる対応な処理は、具体的に、レイヤ２リセット処理またはすべてのベアラに対応する論理チャネルの再構築処理、および、ＵＥからＤＵへのアップリンクアクセス処理である。
【００３９】
このように、本開示の実施例のレイヤ２処理方法によれば、ＣＵは、特定なレイヤ２行為を実行するようにＤＵを制御し、ＤＵは、ＣＵからの指示に基づいて特定な行為を実行する。よって、ＣＵとＤＵの連携によって、対応するレイヤ２リセット処理またはすべてのベアラに対応する論理チャネルの再構築処理を実行するようにＵＥを制御することができる。
【００４０】
本開示の実施例において、ＣＵからレイヤ２リセット指示情報または同期再構成指示情報をＤＵに送信した後に、ＤＵは、レイヤ２リセット処理またはすべてのベアラに対応する論理チャネルの再構築処理（すなわち同期再構成処理）を実行する。具体的に、ＤＲＢに対し、ＤＵは、エアインターフェース伝送を停止し、ＵＥから受信したすべてのＤＲＢでのアップリンクＰＤＣＰ（Ｐａｃｋｅｔ  Ｄａｔａ  Ｃｏｎｖｅｒｇｅｎｃｅ  Ｐｒｏｔｏｃｏｌ）ＰＤＵ（Ｐｒｏｔｏｃｏｌ  Ｄａｔａ  Ｕｎｉｔ）データをＣＵに乱順（Ｏｕｔ  ｏｆ  ｏｒｄｅｒ）に引き渡し、ダウンリンク伝送状態情報またはほかの新規データの伝送を要求する指示情報をＣＵに送信するとともに、ＵＥに対応する各バッファエリアのすべてのデータパケットをクリアする。ＤＵからのダウンリンク伝送状態情報またはほかの新規データの伝送を要求する指示情報を受信すると、ＣＵは、すべてのＤＲＢに対し新規キーをイネーブルにして暗号化及び復号を行う。ＣＵは、ＵＥからの同期指示情報、たとえばＲＡＣＨアクセス成功メッセージを受信すると、エアインターフェースで新規データの送受信を開始する。
【００４１】
具体的に、ステップ２０１の後に、本開示の実施例の方法は、ＣＵが、ＤＵから送信されるＵＥからのすべてのＤＲＢでのアップリンクＰＤＣＰ  ＰＤＵデータを受信し、ＤＵから送信されるダウンリンク伝送状態情報またはほかの新規データの伝送を要求する指示情報を受信することをさらに含む。
【００４２】
一般的なダウンリンク伝送状態情報と区別するために、選択可能に、当該ダウンリンク伝送状態情報は、古いデータ伝送終了指示情報を含む。
【００４３】
さらに、ＤＵから送信されるダウンリンク伝送状態情報またはほかの新規データの伝送を要求する指示情報を受信した後に、ＣＵは、すべてのＤＲＢに対し新規キーをイネーブルにして暗号化及び復号を行い、または、ＤＵからの応答メッセージに基づき、すべてのＤＲＢに対し新規キーをイネーブルにして暗号化及び復号を行い、または、ＵＥからのＰＤＣＰ状態報告情報に基づき、すべてのＤＲＢに対し新規キーをイネーブルにして暗号化及び復号を行い、または、ＵＥからのＲＲＣ再構成完了メッセージに基づき、すべてのＤＲＢに対し新規キーをイネーブルにして暗号化及び復号を行い（すなわち、ＵＥからのＲＲＣ再構成完了メッセージを受信した後に、すべてのＤＲＢに対し新規キーをイネーブルにして暗号化及び復号を行う）、または、レイヤ２リセット指示情報または同期再構成指示情報の送信後にイネーブルにされ、時間の長さが予め設置されたローカルタイマがタイムオーバーになると、すべてのＤＲＢに対し新規キーをイネーブルにして暗号化及び復号を行う。
【００４４】
また、ＳＲＢ（Ｓｉｇｎａｌｉｎｇ  Ｒａｄｉｏ  Ｂｅａｒｅｒ）に対し、ＤＵから送信されるダウンリンク伝送状態情報またはほかの新規データの伝送を要求する指示情報を受信した後に、ＣＵは、任意の１つのＤＲＢのダウンリンク伝送状態情報またはほかの新規データの伝送を要求する指示情報に基づき、すべてのＳＲＢに対し新規キーをイネーブルにして暗号化及び復号を行い、または、ＤＵからの応答メッセージに基づき、すべてのＳＲＢに対し新規キーをイネーブルにして暗号化及び復号を行い、または、レイヤ２リセット指示情報または同期再構成指示情報の送信後にイネーブルにされ、時間の長さが予め設置されたローカルタイマがタイムオーバーになると、すべてのＳＲＢに対し新規キーをイネーブルにして暗号化及び復号を行う。
【００４５】
図３に示すように、本開示の別の実施例は、ＣＵに応用されるレイヤ２処理方法をさらに提供し、以下のステップを含む。
【００４６】
ステップ３０１において、チャネル再構築指示情報をＤＵに送信する。
【００４７】
ここで、チャネル再構築指示情報は、論理チャネル再構築が必要なベアラを指示し、論理チャネル再構築が必要なベアラに対し論理チャネル再構築処理を実行するようＤＵに指示することに用いられる。ＤＵによって実行される論理チャネル再構築処理は、関連ＲＬＣエンティティの再構築処理などを含み、それらに限られない。
【００４８】
本開示の実施例において、ＣＵからチャネル再構築指示情報をＤＵに送信するプロセスとして、ＣＵから、ＵＥコンテキスト修正メッセージの１つの明示的な指示ビットによってチャネル再構築指示情報をＤＵに送信し、または、ＣＵから、ＵＥコンテキスト修正メッセージでＤＲＢを追加または削除する方式でチャネル再構築指示情報をＤＵに暗黙的に送信する。
【００４９】
ステップ３０２において、ＤＵから送信される新規の論理チャネルＩＤ情報を受信する。
【００５０】
ここで、新規の論理チャネルＩＤ情報は、後にＵＥに使用されるよう、ＤＵからＣＵに送信される応答メッセージに付帯されて送信される。ＣＵは、ＤＵから送信される新規の論理チャネルＩＤ情報を受信する場合、ＤＵからＲＲＣコンテナ方式で送信される新規の論理チャネルＩＤ情報を受信する。すなわち、ＤＵは、ＲＲＣコンテナ方式で新規の論理チャネルＩＤ情報を送信することができる。
【００５１】
本開示の実施例において、ＤＵからＣＵに送信される応答メッセージには、新規の論理チャネルＩＤ情報が付帯されるほか、ＣＵによる使用のために、ＤＵから論理チャネル再構築が必要なベアラに対し新たに割り当てたダウンリンク伝送アドレス（たとえばトンネルＩＤなど）も付帯されている。当該新たに割り当てたダウンリンク伝送アドレスは、インタフェース情報エレメントの形式で伝送される。
【００５２】
ステップ３０３において、新規の論理チャネルＩＤ情報に基づき、ＲＲＣ再構成メッセージを生成する。
【００５３】
ここで、ＲＲＣ再構成メッセージには、ＤＵからの新規の論理チャネルＩＤ情報が付帯される。
【００５４】
ステップ３０４において、ＲＲＣ再構成メッセージをＵＥに送信し、ＵＥによって対応な処理が行われる。
【００５５】
なお、ＵＥによる対応な処理は、具体的に、論理チャネル再構築が必要なベアラに対応する論理チャネルの再構築処理である。
【００５６】
このように、本開示の実施例のレイヤ２処理方法によれば、ＣＵは、特定なレイヤ２行為を実行するようにＤＵを制御し、ＤＵは、ＣＵからの指示に基づいて特定な行為を実行する。よって、ＣＵとＤＵの連携によって、論理チャネル再構築が必要なベアラに対応する論理チャネルの再構築処理を実行するようにＵＥを制御することができる。
【００５７】
本開示の実施例において、ＣＵからＤＵにチャネル再構築指示情報を送信した後に、ＤＵは、論理チャネル再構築処理を実行する。具体的に、ＤＵは、ＵＥから受信した論理チャネル再構築が必要なベアラでのアップリンクＰＤＣＰ  ＰＤＵデータをＣＵに乱順に引き渡し、ダウンリンク伝送状態情報またはほかの新規データの伝送を要求する指示情報をＣＵに送信するとともに、論理チャネル再構築が必要なベアラに対応する各バッファエリアのすべてのデータパケットをクリアする。ＤＵからのダウンリンク伝送状態情報またはほかの新規データの伝送を要求する指示情報を受信すると、ＣＵは、当該アップリンクＰＤＣＰ  ＰＤＵデータに対応するＰＤＵを処理する。
【００５８】
具体的に、ステップ３０１の後に、本開示の実施例の方法において、ＣＵが、ＤＵから送信されるＵＥからの論理チャネル再構築が必要なベアラでのアップリンクＰＤＣＰ  ＰＤＵデータを受信し、ＤＵから送信されるダウンリンク伝送状態情報またはほかの新規データの伝送を要求する指示情報を受信することをさらに含む。
【００５９】
さらに、ＤＵから送信されるダウンリンク伝送状態情報またはほかの新規データの伝送を要求する指示情報を受信した後に、ＣＵは、アップリンクＰＤＣＰ  ＰＤＵデータに対応するＰＤＵを処理する。
【００６０】
一般的なダウンリンク伝送状態情報と区別するために、選択可能に、当該ダウンリンク伝送状態情報は、古いデータ伝送終了指示情報を含む。
【００６１】
また、ＵＥの再構成完了メッセージを受信すると、ＣＵは、新規のベアラに対し新規のデータパケットを送受信する。
【００６２】
以下、図４〜図７を通じて、本開示の実例１〜実例４のレイヤ２処理プロセスをそれぞれ説明する。
実例１
【００６３】
実例１は、マルチ接続シーンでＭＮからＳＮのＣＵ（またはＣＵ−ＣＰ）にキー変更指示情報またはＳＮのレイヤ２リセットをトリガーするほかの関連情報を送信し、対応するレイヤ２処理プロセスを完成させる。具体的に、図４に示すように、当該レイヤ２処理プロセスは、以下のステップを含む。
【００６４】
ステップ４１において、ＭＮからＳＮのＣＵにキー変更指示情報またはＳＮのレイヤ２リセットをトリガーするほかの関連情報を送信する。
【００６５】
ステップ４２において、ＣＵは、所属のＤＵに対し、レイヤ２リセット指示情報（同期再構成指示情報と称してもよい）を送信する。
【００６６】
ここで、当該レイヤ２リセット指示情報は、ＵＥコンテキスト修正メッセージの１つの指示ビットによって送信されてもよく、ＵＥ移動指令メッセージ（ＲＲＣコンテナを付帯しない）によって送信されてもよい。
【００６７】
ステップ４３において、ＤＵは、レイヤ２リセット処理を実行する。
【００６８】
本開示の実例において、ＤＵによるレイヤ２リセット処理は、ＭＡＣリセット処理、すべてのＲＬＣエンティティの再構築処理などを含むが、それらに限られない。具体的に、ＤＲＢに対し、ＤＵは、エアインターフェース伝送を停止し、ＵＥから受信したすべてのＤＲＢでのアップリンクＰＤＣＰ  ＰＤＵデータをＣＵに乱順に引き渡し、（ＵＥからのＡＣＫ（Ａｃｋｎｏｗｌｅｄｇｅｍｅｎｔ）メッセージによる）ダウンリンク伝送状態情報またはほかの新規データの伝送を要求する指示情報をＣＵにフィードバックするとともに、ＵＥに対応する各バッファエリアのすべてのデータパケットをクリアする。
【００６９】
ＤＵからのダウンリンク伝送状態情報またはほかの新規データの伝送を要求する指示情報を受信すると、ＣＵは、すべてのＤＲＢに対し新規キーをイネーブルにして暗号化及び復号を行う。ＣＵは、ＵＥからの同期指示情報、たとえばＲＡＣＨアクセス成功メッセージを受信すると、エアインターフェースで新規データの送受信を開始する。
【００７０】
ＳＲＢに対し、ＣＵは、任意の１つのＤＲＢのダウンリンク伝送状態情報またはほかの新規データの伝送を要求する指示情報に基づき、ＤＵリセットが完成したかを判断し、ＤＵリセットの完成後に、新規キーをイネーブルにして暗号化及び復号を行う。
【００７１】
ステップ４４において、ＤＵは、ＣＵからのレイヤ２リセット指示情報を受信すると、応答メッセージを生成してＣＵに送信する。
【００７２】
ここで、当該応答メッセージには、同期構成パラメータ情報（たとえばＲＡＣＨ構成情報など）が付帯されている。さらに、同期構成パラメータ情報は、ＲＲＣコンテナ方式でＣＵに送信することができる。当該応答メッセージには、ＤＵから各ＤＲＢに対し新たに割り当てたダウンリンク伝送アドレス（たとえばトンネルＩＤなど）がさらに付帯されてもよい。
【００７３】
ステップ４５において、ＣＵは、ＤＵからの同期構成パラメータ情報に基づいてＲＲＣ再構成メッセージを生成する。
【００７４】
ステップ４６において、ＣＵは、ＲＲＣ再構成メッセージをＭＮに送信する。
【００７５】
ステップ４７において、ＭＮは、ＲＲＣ再構成メッセージをＵＥに送信する。
【００７６】
ステップ４８において、ＵＥは、ＲＲＣ再構成メッセージを受信すると、同期構成パラメータ情報に基づき、対応するレイヤ２リセット処理またはすべてのベアラに対応する論理チャネルの再構築処理、および、ＵＥからＤＵへのアップリンクアクセス処理を実行する。
実例２
【００７７】
実例２は、ＣＵ（またはＣＵ−ＣＰ）は、キー変更が必要となり、または所定のルールに基づき、自ノードのレイヤ２リセット処理をトリガーすることを決定する。具体的に、図５に示すように、当該レイヤ２処理プロセスは、以下のステップを含む。
【００７８】
ステップ５１において、ＣＵは、所属のＤＵに対し、同期再構成要求指示情報を送信する。
【００７９】
ここで、当該同期再構成要求指示情報は、ＵＥコンテキスト修正メッセージの１つの指示ビットによって送信される。
【００８０】
ステップ５２において、ＤＵは、ＣＵからの同期再構成要求指示情報を受信すると、応答メッセージを生成してＣＵに送信する。ここで、当該応答メッセージには、同期構成パラメータ情報（たとえばＲＡＣＨ構成情報など）が付帯されている。同期構成パラメータ情報は、ＲＲＣコンテナ方式でＣＵに送信することができる。
【００８１】
ステップ５３において、ＣＵは、ＤＵからの同期構成パラメータ情報に基づいてＲＲＣ再構成メッセージを生成する。
【００８２】
ステップ５４において、ＣＵは、所属のＤＵに対し、レイヤ２リセット指示情報を送信する。
【００８３】
ここで、当該レイヤ２リセット指示情報には、ＲＲＣ再構成メッセージが付帯されている。当該レイヤ２リセット指示情報は、ＵＥコンテキスト修正メッセージの１つの指示ビットによって送信されかつＲＲＣコンテナを付帯する必要があり、または、ＵＥ移動指令メッセージによって送信されかつＲＲＣコンテナを付帯する必要がある。
【００８４】
ステップ５５において、ＤＵは、ＣＵからのＲＲＣ再構成メッセージをＵＥに転送する。
【００８５】
ステップ５６において、ＤＵは、レイヤ２リセット処理を実行する。当該レイヤ２リセット処理は、ＭＡＣリセット処理、すべてのＲＬＣエンティティの再構築処理などを含むが、それらに限られない。このプロセスは、上記ステップ４３のプロセスとは同じであるため、ここでは繰り返して記載しない。
【００８６】
ステップ５７において、ＤＵは、リセット応答メッセージをＣＵに返信する。当該リセット応答メッセージには、ＤＵから各ＤＲＢに対し新たに割り当てたダウンリンク伝送アドレス（たとえばトンネルＩＤなど）が付帯されている。
【００８７】
ステップ５８において、ＵＥは、ＲＲＣ再構成メッセージを受信すると、同期構成パラメータ情報に基づき、対応するレイヤ２リセット処理またはすべてのベアラに対応する論理チャネルの再構築処理、および、ＵＥからＤＵへのアップリンクアクセス処理を実行する。
実例３
【００８８】
実例３は、マルチ接続シーンでＭＮからＳＮのＣＵ（またはＣＵ−ＣＰ）にベアラタイプ変更指示情報またはＳＮによる論理チャネル再構築をトリガーするほかの関連情報を送信し、対応するレイヤ２処理プロセスを完成させる。具体的に、図６に示すように、当該レイヤ２処理プロセスは、以下のステップを含む。
【００８９】
ステップ６１において、ＭＮからＳＮのＣＵにベアラタイプ変更指示情報またはＳＮによる論理チャネル再構築をトリガーするほかの関連情報を送信する。
【００９０】
ステップ６２において、ＣＵは、所属のＤＵにチャネル再構築指示情報を送信する。
【００９１】
ここで、当該チャネル再構築指示情報は、論理チャネル再構築が必要なベアラを指示し、論理チャネル再構築が必要なベアラに対し論理チャネル再構築処理を実行するようＤＵに指示することに用いられる。当該チャネル再構築指示情報は、ＵＥコンテキスト修正メッセージの１つの明示的な指示ビットによって送信されてもよく、ＵＥコンテキスト修正メッセージでＤＲＢを追加または削除する方式で暗黙的に送信されてもよい。
【００９２】
ステップ６３において、ＤＵは、論理チャネル再構築処理を実行する。当該論理チャネル再構築処理は、関連ＲＬＣエンティティによる再構築処理を含むが、それらに限られない。
【００９３】
具体的に、ＤＵは、ＵＥから受信した論理チャネル再構築が必要なベアラでのアップリンクＰＤＣＰ  ＰＤＵデータをＣＵに乱順に引き渡し、（ＵＥからのＡＣＫメッセージによる）ダウンリンク伝送状態情報またはほかの新規データの伝送を要求する指示情報をＣＵにフィードバックするとともに、論理チャネル再構築が必要なベアラに対応する各バッファエリアのすべてのデータパケットをクリアする。
【００９４】
ＤＵからのダウンリンク伝送状態情報またはほかの新規データの伝送を要求する指示情報を受信すると、ＣＵは、当該アップリンクＰＤＣＰ  ＰＤＵデータに対応するＰＤＵを処理する。ＵＥからの再構成完了メッセージを受信すると、新規に変更したベアラに対し、ネットワーク側から新規のデータパケットの送受信を開始する。
【００９５】
ステップ６４において、ＤＵは、ＣＵからのチャネル再構築指示情報を受信すると、応答メッセージを生成してＣＵにフィードバックする。
【００９６】
ここで、当該応答メッセージには、新規の論理チャネルＩＤ情報が付帯されている。さらに、新規の論理チャネルＩＤ情報は、ＲＲＣコンテナ方式でＣＵに送信することができる。当該応答メッセージには、ＤＵから論理チャネル再構築が必要なベアラに対し新たに割り当てたダウンリンク伝送アドレス（たとえばトンネルＩＤなど）がさらに付帯されてもよい。
【００９７】
ステップ６５において、ＣＵは、ＤＵからの新規の論理チャネルＩＤ情報に基づいてＲＲＣ再構成メッセージを生成する。
【００９８】
ステップ６６において、ＣＵは、ＲＲＣ再構成メッセージをＭＮに送信する。
【００９９】
ステップ６７において、ＭＮは、ＲＲＣ再構成メッセージをＵＥに送信する。
【０１００】
ステップ６８において、ＵＥは、ＲＲＣ再構成メッセージを受信すると、新規の論理チャネルＩＤ情報に基づき、論理チャネル再構築が必要なベアラに対応する論理チャネル再構築処理を実行する。
実例４
【０１０１】
実例４は、ＣＵ（またはＣＵ−ＣＰ）は、所定のルールに基づき、あるベアラの論理チャネル再構築処理をトリガーすることを決定する。具体的に、図７に示すように、当該レイヤ２処理プロセスは、以下のステップを含む。
【０１０２】
ステップ７１において、ＣＵは、所属のＤＵにチャネル再構築指示情報を送信する。
【０１０３】
ここで、当該チャネル再構築指示情報は、論理チャネル再構築が必要なベアラを指示し、論理チャネル再構築が必要なベアラに対し論理チャネル再構築処理を実行するようＤＵに指示することに用いられる。当該チャネル再構築指示情報は、ＵＥコンテキスト修正メッセージの１つの明示的な指示ビットによって送信されてもよく、ＵＥコンテキスト修正メッセージでＤＲＢを追加または削除する方式で暗黙的に送信されてもよい。
【０１０４】
ステップ７２において、ＤＵは、論理チャネル再構築処理を実行する。当該論理チャネル再構築処理は、関連ＲＬＣエンティティによる再構築処理を含むが、それらに限られない。このプロセスは、上記ステップ６３のプロセスとは同じであるため、ここでは繰り返して記載しない。
【０１０５】
ステップ７３において、ＤＵは、ＣＵからのチャネル再構築指示情報を受信すると、応答メッセージを生成してＣＵにフィードバックする。
【０１０６】
ここで、当該応答メッセージには、新規の論理チャネルＩＤ情報が付帯されている。さらに、新規の論理チャネルＩＤ情報は、ＲＲＣコンテナ方式でＣＵに送信することができる。当該応答メッセージには、ＤＵから論理チャネル再構築が必要なベアラに対し新たに割り当てたダウンリンク伝送アドレス（たとえばトンネルＩＤなど）がさらに付帯されてもよい。
【０１０７】
ステップ７４において、ＣＵは、ＤＵからの新規の論理チャネルＩＤ情報に基づいてＲＲＣ再構成メッセージを生成する。
【０１０８】
ステップ７５において、ＣＵは、ダウンリンクＲＲＣ伝送プロセスによって、ＲＲＣ再構成メッセージをＤＵに送信する。
【０１０９】
ステップ７６において、ＤＵは、ＲＲＣ再構成メッセージをＵＥに送信する。
【０１１０】
ステップ７７において、ＵＥは、ＲＲＣ再構成メッセージを受信すると、新規の論理チャネルＩＤ情報に基づき、論理チャネル再構築が必要なベアラに対応する論理チャネル再構築処理を実行する。
【０１１１】
ステップ７８において、ＵＥは、ＲＲＣ再構成完了メッセージをＤＵに返信する。
【０１１２】
ステップ７９において、ＤＵは、アップリンクＲＲＣ伝送プロセスによって、ＲＲＣ再構成完了メッセージをＣＵに送信して、再構成プロセスを完成させる。
【０１１３】
さらに、図８に示すように、本開示の別の実施例は、ＤＵに応用されるレイヤ２処理方法をさらに提供し、以下のステップを含む。ステップ８０１において、ＣＵから送信されるチャネル再構築指示情報を受信する。ステップ８０２において、前記ＣＵに応答メッセージを送信する。前記ＣＵは、前記応答メッセージに基づき、ＲＲＣ再構成メッセージを生成し、前記ＲＲＣ再構成メッセージをＵＥに送信し、前記ＵＥによって対応な処理が行われる。
【０１１４】
本開示の実施例のレイヤ２処理方法において、ＣＵから送信されるチャネル再構築指示情報を受信し、応答メッセージをＣＵに送信することによって、ＣＵは、当該応答メッセージに基づき、ＲＲＣ再構成メッセージを生成し、ＲＲＣ再構成メッセージをＵＥに送信し、ＵＥによって対応な処理が行われる。よって、ＣＵは、特定のレイヤ２行為を実行して異なる特性ニーズを満たすようにＤＵを制御し、ＤＵも、ＣＵからの指示に基づいて特定の行為を実行することができる。よって、ＣＵ−ＤＵアーキテクチャではＣＵとＤＵとの連携を明確化して、ベアラ変換やセキュリティキー更新などを含む重要な機能を完成させ、システム効率を高め、ユーザ体験を向上させる。
【０１１５】
本開示の実施例において、選択可能に、ステップ８０１は、前記ＤＵによるレイヤ２リセット処理、または、前記ＤＵによる同期再構成処理を指示するためのレイヤ２リセット指示情報または同期再構成指示情報を前記ＣＵから受信することを含む。
【０１１６】
選択可能に、レイヤ２リセット指示情報または同期再構成指示情報を前記ＣＵから受信することは、前記ＣＵからＵＥコンテキスト修正メッセージの１つの指示ビットによって送信される前記レイヤ２リセット指示情報または同期再構成指示情報を受信すること、または、前記ＣＵからＵＥ移動指令メッセージによって送信される前記レイヤ２リセット指示情報または同期再構成指示情報を受信することを含む。
【０１１７】
選択可能に、前記ＣＵに応答メッセージを送信することは、同期構成パラメータ情報を前記ＣＵに送信することを含む。
【０１１８】
選択可能に、同期構成パラメータ情報を前記ＣＵに送信することは、前記同期構成パラメータ情報をＲＲＣコンテナ方式で前記ＣＵに送信することを含む。
【０１１９】
選択可能に、前記応答メッセージには、前記ＤＵから各ＤＲＢに新たに割り当てたダウンリンク伝送アドレスが付帯されている。
【０１２０】
選択可能に、前記ＣＵから送信されるレイヤ２リセット指示情報または同期再構成指示情報を受信した後に、前記方法において、前記レイヤ２リセット指示情報または同期再構成指示情報に基づき、レイヤ２リセット処理または同期再構成処理を実行することをさらに含む。
【０１２１】
選択可能に、前記レイヤ２リセット指示情報または同期再構成指示情報に基づき、レイヤ２リセット処理または同期再構成処理を実行することは、エアインターフェース伝送を停止し、前記ＵＥから受信したすべてのＤＲＢでのアップリンクＰＤＣＰ  ＰＤＵデータを前記ＣＵに乱順に引き渡すことと、ダウンリンク伝送状態情報またはほかの新規データの伝送を要求する指示情報を前記ＣＵに送信することと、前記ＵＥに対応する各バッファエリアのすべてのデータパケットをクリアすることとを含む。
【０１２２】
選択可能に、前記ダウンリンク伝送状態情報は、古いデータ伝送終了指示情報を含む。
【０１２３】
本開示の実施例において、選択可能に、ステップ８０１でのチャネル再構築指示情報は、論理チャネル再構築が必要なベアラを指示し、前記論理チャネル再構築が必要なベアラに対し論理チャネル再構築処理を実行するよう前記ＤＵに指示することに用いられる。
【０１２４】
選択可能に、前記ＣＵから送信されるチャネル再構築指示情報を受信することは、前記ＣＵからＵＥコンテキスト修正メッセージの１つの明示的な指示ビットによって送信される前記チャネル再構築指示情報を受信すること、または、前記ＣＵから、ＵＥコンテキスト修正メッセージでＤＲＢを追加または削除する方式で暗黙的に送信される前記チャネル再構築指示情報を受信することを含む。
【０１２５】
選択可能に、前記ＣＵに応答メッセージを送信することは、新規の論理チャネルＩＤ情報を前記ＣＵに送信することを含む。
【０１２６】
選択可能に、新規の論理チャネルＩＤ情報を前記ＣＵに送信することは、前記新規の論理チャネルＩＤ情報をＲＲＣコンテナ方式で前記ＣＵに送信することを含む。
【０１２７】
選択可能に、前記応答メッセージには、前記ＤＵから前記論理チャネル再構築が必要なベアラに対し新たに割り当てたダウンリンク伝送アドレスが付帯されている。
【０１２８】
選択可能に、ＣＵから送信されるチャネル再構築指示情報を受信した後に、前記方法において、前記チャネル再構築指示情報に基づき、前記論理チャネル再構築が必要なベアラに対し論理チャネル再構築処理を実行することをさらに含む。
【０１２９】
選択可能に、前記チャネル再構築指示情報に基づき、前記論理チャネル再構築が必要なベアラに対し論理チャネル再構築処理を実行することは、前記ＵＥから受信した前記論理チャネル再構築が必要なベアラでのアップリンクＰＤＣＰ  ＰＤＵデータを前記ＣＵに乱順に引き渡すことと、ダウンリンク伝送状態情報またはほかの新規データの伝送を要求する指示情報を前記ＣＵに送信することと、前記論理チャネル再構築が必要なベアラに対応する各バッファエリアのすべてのデータパケットをクリアすることとを含む。
【０１３０】
選択可能に、前記ダウンリンク伝送状態情報は、古いデータ伝送終了指示情報を含む。
【０１３１】
上記実施例は、本開示のレイヤ２処理方法を説明した。以下、実施例および図面を通じて、本開示のＣＵとＤＵを説明する。
【０１３２】
図９に示すように、本開示の実施例は、有線インタフェース９１と、メモリ９２と、プロセッサ９３と、トランシーバ９４と、前記メモリ９２に記憶されて前記プロセッサ９３で実行可能なコンピュータプログラムを含むＣＵをさらに提供する。ここで、前記有線インタフェース９１は、チャネル再構築指示情報をＤＵに送信し、前記ＤＵから送信される応答メッセージを受信することに用いられる。前記プロセッサ９３は、前記メモリ９２からプログラムを読み取ることによって、前記応答メッセージに基づいてＲＲＣ再構成メッセージを生成するプロセスを実行することに用いられる。前記トランシーバ９４は、前記ＲＲＣ再構成メッセージをＵＥに送信することに用いられ、前記ＵＥによって対応な処理が行われる。
【０１３３】
本開示の実施例のＣＵは、特定のレイヤ２行為を実行して異なる特性ニーズを満たすようにＤＵを制御し、ＤＵも、ＣＵからの指示に基づいて特定の行為を実行することができる。よって、ＣＵ−ＤＵアーキテクチャではＣＵとＤＵとの連携を明確化して、ベアラ変換やセキュリティキー更新などを含む重要な機能を完成させ、システム効率を高め、ユーザ体験を向上させる。
【０１３４】
本開示の実施例において、選択可能に、前記有線インタフェース９１は、さらに、前記ＤＵによるレイヤ２リセット処理、または、前記ＤＵによる同期再構成処理を指示するためのレイヤ２リセット指示情報または同期再構成指示情報を前記ＤＵに送信することに用いられる。
【０１３５】
選択可能に、前記有線インタフェース９１は、さらに、ＵＥコンテキスト修正メッセージの１つの指示ビットによって、前記レイヤ２リセット指示情報または同期再構成指示情報を前記ＤＵに送信すること、または、ＵＥ移動指令メッセージによって、前記レイヤ２リセット指示情報または同期再構成指示情報を前記ＤＵに送信することに用いられる。
【０１３６】
選択可能に、前記有線インタフェース９１は、さらに、ＵＥ移動指令メッセージにＲＲＣメッセージを付帯しない方式で、前記レイヤ２リセット指示情報または同期再構成指示情報を前記ＤＵに暗黙的に送信すること、または、切り替え先セルが現在のサービングセルであることをＵＥ移動指令メッセージで明示的に示す方式で、前記レイヤ２リセット指示情報または同期再構成指示情報を前記ＤＵに送信することに用いられる。
【０１３７】
選択可能に、前記有線インタフェース９１は、さらに、前記ＤＵから送信される同期構成パラメータ情報を受信することに用いられる。
【０１３８】
選択可能に、前記有線インタフェース９１は、さらに、前記ＤＵからＲＲＣコンテナ方式で送信される前記同期構成パラメータ情報を受信することに用いられる。
【０１３９】
選択可能に、前記同期構成パラメータ情報は、同期用の専用アクセスリソース情報および／または新規目標リソースでのユーザＩＤを含む。
【０１４０】
選択可能に、前記応答メッセージには、前記ＤＵから各ＤＲＢに新たに割り当てたダウンリンク伝送アドレスが付帯されている。
【０１４１】
選択可能に、レイヤ２リセット指示情報または同期再構成指示情報を前記ＤＵに送信した後に、前記有線インタフェース９１は、さらに、前記ＵＥから受信したすべてのＤＲＢでのアップリンクＰＤＣＰ  ＰＤＵデータを前記ＤＵから受信し、前記ＤＵから送信されるダウンリンク伝送状態情報またはほかの新規データの伝送を要求する指示情報を受信することに用いられる。
【０１４２】
選択可能に、ＤＵから送信されるダウンリンク伝送状態情報またはほかの新規データの伝送を要求する指示情報を受信した後に、前記プロセッサ９３は、さらに、すべてのＤＲＢに対し新規キーをイネーブルにして暗号化及び復号を行うこと、または、前記ＤＵからの応答メッセージに基づき、すべてのＤＲＢに対し新規キーをイネーブルにして暗号化及び復号を行うこと、または、前記ＵＥからのＰＤＣＰ状態報告情報に基づき、すべてのＤＲＢに対し新規キーをイネーブルにして暗号化及び復号を行うこと、または、前記ＵＥからのＲＲＣ再構成完了メッセージに基づき、すべてのＤＲＢに対し新規キーをイネーブルにして暗号化及び復号を行うこと、または、前記レイヤ２リセット指示情報または同期再構成指示情報の送信後にイネーブルにされたローカルタイマがタイムオーバーになると、すべてのＤＲＢに対し新規キーをイネーブルにして暗号化及び復号を行うことに用いられる。
【０１４３】
選択可能に、前記ダウンリンク伝送状態情報は、古いデータ伝送終了指示情報を含む。
【０１４４】
選択可能に、ＤＵから送信されるダウンリンク伝送状態情報またはほかの新規データの伝送を要求する指示情報を受信した後に、前記プロセッサ９３は、さらに、任意の１つのＤＲＢのダウンリンク伝送状態情報またはほかの新規データの伝送を要求する指示情報に基づき、すべてのＳＲＢに対し新規キーをイネーブルにして暗号化及び復号を行うこと、または、前記ＤＵからの応答メッセージに基づき、すべてのＳＲＢに対し新規キーをイネーブルにして暗号化及び復号を行うこと、または、前記レイヤ２リセット指示情報または同期再構成指示情報の送信後にイネーブルにされたローカルタイマがタイムオーバーになると、すべてのＳＲＢに対し新規キーをイネーブルにして暗号化及び復号を行うことに用いられる。
【０１４５】
選択可能に、前記ＵＥによる対応な処理は、レイヤ２リセット処理またはすべてのベアラに対応する論理チャネルの再構築処理である。
【０１４６】
選択可能に、前記チャネル再構築指示情報は、論理チャネル再構築が必要なベアラを指示し、前記論理チャネル再構築が必要なベアラに対し論理チャネル再構築処理を実行するよう前記ＤＵに指示することに用いられる。
【０１４７】
選択可能に、前記有線インタフェース９１は、さらに、ＵＥコンテキスト修正メッセージの１つの明示的な指示ビットによって、前記チャネル再構築指示情報を前記ＤＵに送信すること、または、ＵＥコンテキスト修正メッセージでＤＲＢを追加または削除する方式で、前記チャネル再構築指示情報を前記ＤＵに暗黙的に送信することに用いられる。
【０１４８】
選択可能に、前記有線インタフェース９１は、さらに、前記ＤＵから送信される新規の論理チャネルＩＤ情報を受信することに用いられる。
【０１４９】
選択可能に、前記有線インタフェース９１は、さらに、前記ＤＵからＲＲＣコンテナ方式で送信される前記新規の論理チャネルＩＤ情報を受信することに用いられる。
【０１５０】
選択可能に、前記応答メッセージには、前記ＤＵから前記論理チャネル再構築が必要なベアラに対し新たに割り当てたダウンリンク伝送アドレスが付帯されている。
【０１５１】
選択可能に、チャネル再構築指示情報をＤＵに送信した後に、前記有線インタフェース９１は、さらに、前記ＵＥから受信した前記論理チャネル再構築が必要なベアラでのアップリンクＰＤＣＰ  ＰＤＵデータを前記ＤＵから受信し、前記ＤＵから送信されるダウンリンク伝送状態情報またはほかの新規データの伝送を要求する指示情報を受信することに用いられる。
【０１５２】
選択可能に、ＤＵから送信されるダウンリンク伝送状態情報またはほかの新規データの伝送を要求する指示情報を受信した後に、前記プロセッサ９３は、さらに、前記アップリンクＰＤＣＰ  ＰＤＵデータに対応するＰＤＵを処理することに用いられる。
【０１５３】
選択可能に、前記ダウンリンク伝送状態情報は、古いデータ伝送終了指示情報を含む。
【０１５４】
選択可能に、前記ＵＥによる対応な処理は、前記論理チャネル再構築が必要なベアラに対応する論理チャネルの再構築処理である。
【０１５５】
図９において、バスアーキテクチャは、バス９０で示される。バス９０は、任意数の相互接続するバスとブリッジを含む。バス９０は、プロセッサ９３をはじめとする１つ又は複数のプロセッサとメモリ９２をはじめとするメモリを含む各種類の回路が接続したものである。有線インタフェース９１は、ＣＵとＤＵとの間のインタフェースである。トランシーバ９４は、送信器と受信機に分けられ、無線インタフェース通信に用いられる。トランシーバ９４は、バス９０を介してプロセッサ９３とメモリ９２に接続される。
【０１５６】
プロセッサ９３は、バス９０と通常の処理を管理する。メモリ９２は、プロセッサ９３による操作実行に使用されるデータを記憶できる。
【０１５７】
図１０に示すように、本開示の実施例は、有線インタフェース１１１と、メモリ１１２と、プロセッサ１１３と、トランシーバ１１４と、前記メモリ１１２に記憶されて前記プロセッサ１１３で実行可能なコンピュータプログラムを含むＤＵをさらに提供する。ここで、前記有線インタフェース１１１は、ＣＵから送信されるチャネル再構築指示情報を受信し、前記ＣＵに応答メッセージを送信することに用いられる。前記ＣＵは、前記応答メッセージに基づき、ＲＲＣ再構成メッセージを生成し、前記ＲＲＣ再構成メッセージをＵＥに送信し、前記ＵＥによって対応な処理が行われる。
【０１５８】
本開示の実施例のＤＵは、ＣＵに制御されて特定のレイヤ２行為を実行して異なる特性ニーズを満たす。よって、ＣＵ−ＤＵアーキテクチャではＣＵとＤＵとの連携を明確化して、ベアラ変換やセキュリティキー更新などを含む重要な機能を完成させ、システム効率を高め、ユーザ体験を向上させる。
【０１５９】
本開示の実施例において、選択可能に、前記有線インタフェース１１１は、さらに、前記ＤＵによるレイヤ２リセット処理、または、前記ＤＵによる同期再構成処理を指示するためのレイヤ２リセット指示情報または同期再構成指示情報を前記ＣＵから受信することに用いられる。
【０１６０】
選択可能に、前記有線インタフェース１１１は、さらに、前記ＣＵからＵＥコンテキスト修正メッセージの１つの指示ビットによって送信される前記レイヤ２リセット指示情報または同期再構成指示情報を受信すること、または、前記ＣＵからＵＥ移動指令メッセージによって送信される前記レイヤ２リセット指示情報または同期再構成指示情報を受信することに用いられる。
【０１６１】
選択可能に、前記有線インタフェース１１１は、さらに、同期構成パラメータ情報を前記ＣＵに送信することに用いられる。
【０１６２】
選択可能に、前記有線インタフェース１１１は、さらに、前記同期構成パラメータ情報をＲＲＣコンテナ方式で前記ＣＵに送信することに用いられる。
【０１６３】
選択可能に、前記応答メッセージには、前記ＤＵから各ＤＲＢに新たに割り当てたダウンリンク伝送アドレスが付帯されている。
【０１６４】
選択可能に、前記ＣＵから送信されるレイヤ２リセット指示情報または同期再構成指示情報を受信した後に、前記プロセッサ１１３は、さらに、前記レイヤ２リセット指示情報または同期再構成指示情報に基づき、レイヤ２リセット処理（すなわち同期再構成処理）を実行することに用いられる。
【０１６５】
選択可能に、前記有線インタフェース１１１は、さらに、エアインターフェース伝送を停止し、前記ＵＥから受信したすべてのＤＲＢでのアップリンクＰＤＣＰ  ＰＤＵデータを前記ＣＵに乱順に引き渡し、ダウンリンク伝送状態情報またはほかの新規データの伝送を要求する指示情報を前記ＣＵに送信することに用いられ、前記プロセッサ１１３は、前記ＵＥに対応する各バッファエリアのすべてのデータパケットをクリアすることに用いられる。
【０１６６】
選択可能に、前記ダウンリンク伝送状態情報は、古いデータ伝送終了指示情報を含む。
【０１６７】
選択可能に、前記チャネル再構築指示情報は、論理チャネル再構築が必要なベアラを指示し、前記論理チャネル再構築が必要なベアラに対し論理チャネル再構築処理を実行するよう前記ＤＵに指示することに用いられる。
【０１６８】
選択可能に、前記有線インタフェース１１１は、さらに、前記ＣＵからＵＥコンテキスト修正メッセージの１つの明示的な指示ビットによって送信される前記チャネル再構築指示情報を受信すること、または、前記ＣＵから、ＵＥコンテキスト修正メッセージでＤＲＢを追加または削除する方式で暗黙的に送信される前記チャネル再構築指示情報を受信することに用いられる。
【０１６９】
選択可能に、前記有線インタフェース１１１は、さらに、新規の論理チャネルＩＤ情報を前記ＣＵに送信することに用いられる。
【０１７０】
選択可能に、前記有線インタフェース１１１は、さらに、前記新規の論理チャネルＩＤ情報をＲＲＣコンテナ方式で前記ＣＵに送信することに用いられる。
【０１７１】
選択可能に、前記応答メッセージには、前記ＤＵから前記論理チャネル再構築が必要なベアラに対し新たに割り当てたダウンリンク伝送アドレスが付帯されている。
【０１７２】
選択可能に、ＣＵから送信されるチャネル再構築指示情報を受信した後に、前記プロセッサ１１３は、さらに、前記チャネル再構築指示情報に基づき、前記論理チャネル再構築が必要なベアラに対し論理チャネル再構築処理を実行することに用いられる。
【０１７３】
選択可能に、前記有線インタフェース１１１は、さらに、前記ＵＥから受信した前記論理チャネル再構築が必要なベアラでのアップリンクＰＤＣＰ  ＰＤＵデータを前記ＣＵに乱順に引き渡し、ダウンリンク伝送状態情報またはほかの新規データの伝送を要求する指示情報を前記ＣＵに送信することに用いられ、前記プロセッサ１１３は、さらに、前記論理チャネル再構築が必要なベアラに対応する各バッファエリアのすべてのデータパケットをクリアすることに用いられる。
【０１７４】
選択可能に、前記ダウンリンク伝送状態情報は、古いデータ伝送終了指示情報を含む。
【０１７５】
図１１において、バスアーキテクチャは、バス１１０で示される。バス１１０は、任意数の相互接続するバスとブリッジを含む。バス１１０は、プロセッサ１１３をはじめとする１つ又は複数のプロセッサとメモリ１１２をはじめとするメモリを含む各種類の回路が接続したものである。有線インタフェース１１１は、ＣＵとＤＵとの間のインタフェースである。トランシーバ１１４は、送信器と受信機に分けられ、無線インタフェース通信に用いられる。トランシーバ１１４は、バス１１０を介してプロセッサ１１３とメモリ１１２に接続される。
【０１７６】
プロセッサ１１３は、バス１１０と通常の処理を管理する。メモリ１１２は、プロセッサ１１３による操作実行に使用されるデータを記憶できる。
【０１７７】
また、本開示の実施例は、メモリと、プロセッサと、前記メモリに記憶されて前記プロセッサで実行可能なプログラムを含むネットワークユニットをさらに提供する。ここで、前記コンピュータプログラムが前記プロセッサによって実行されると、上記レイヤ２処理方法の実施例の各プロセスが実現され、かつ同じ技術効果を奏することができる。重複を避けるために、ここでは繰り返して記載しない。当該ネットワークユニットは、ＣＵまたはＤＵである。
【０１７８】
具体的に、図１１に示すように、本開示の実施例は、ネットワークユニットをさらに提供する。前記ネットワークユニットは、バス１２１と、トランシーバ１２２と、アンテナ１２３と、バスインタフェース１２４と、プロセッサ１２５と、メモリ１２６と、有線インタフェース１２７を含む。
【０１７９】
本開示の実施例において、前記ネットワークユニットは、メモリ１２６に記憶されてプロセッサ１２５で実行可能なコンピュータプログラムをさらに含む。
【０１８０】
前記ネットワークユニットがＣＵである場合、前記コンピュータプログラムが前記プロセッサ１２５によって実行されると、チャネル再構築指示情報をＤＵに送信するステップと、前記ＤＵから送信される応答メッセージを受信するステップと、前記応答メッセージに基づき、ＲＲＣ再構成メッセージを生成するステップと、前記ＲＲＣ再構成メッセージをＵＥに送信し、前記ＵＥによって対応な処理が行われるステップとが実現される。
【０１８１】
前記ネットワークユニットがＤＵである場合、前記コンピュータプログラムが前記プロセッサ１２５によって実行されると、ＣＵから送信されるチャネル再構築指示情報を受信するステップと、前記ＣＵに応答メッセージを送信するステップとが実現され、前記ＣＵは、前記応答メッセージに基づき、ＲＲＣ再構成メッセージを生成し、前記ＲＲＣ再構成メッセージをＵＥに送信し、前記ＵＥによって対応な処理が行われる。
【０１８２】
図１１において、バスアーキテクチャ（バス１２１で示す）は、任意数の相互接続するバスとブリッジを含む。バス１２１は、プロセッサ１２５をはじめとする１つ又は複数のプロセッサとメモリ１２６をはじめとするメモリを含む各種類の回路が接続したものである。バス１２１は、周辺イクイップメント、レギュレーター、電力管理回路などの各種類のほかの回路を接続したものであってもよい。これらは、いずれも本分野の公知事項であり、本文においてさらなる記載をしない。バスインタフェース１２４により、バス１２１とトランシーバ１２２との間でインタフェースが提供される。トランシーバ１２２は、１つの部品であってもよく、複数の受信機および送信機などの複数の部品であってもよく、伝送媒体でほかの各種類の装置と通信するユニットとして提供される。プロセッサ１２５に処理されたデータは、アンテナ１２３を介して無線媒体で伝送される。さらに、アンテナ１２３は、データを受信し、データをプロセッサ１２５に伝送する。有線インタフェース１２７は、ＣＵ−ＤＵアーキテクチャではＣＵとＤＵとの間のインタフェースである。
【０１８３】
プロセッサ１２５は、バス１２１と通常の処理を管理し、さらに計時、周囲インタフェース、電圧調節、電源管理およびほかの制御機能など、様々な機能も提供する。メモリ１２６は、プロセッサ１２５による操作実行に用いられるデータを記憶ことに用いられる。
【０１８４】
選択可能に、プロセッサ１２５は、ＣＰＵ（Ｃｅｎｔｒａｌ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）またはＣＰＬＤ（Ｃｏｍｐｌｅｘ  Ｐｒｏｇｒａｍｍａｂｌｅ  Ｌｏｇｉｃ  Ｄｅｖｉｃｅ）である。
【０１８５】
本開示の実施例は、コンピュータプログラムが記憶されているコンピュータ読み取り可能な記憶媒体をさらに提供する。ここで、前記コンピュータプログラムがプロセッサによって実行されると、上記レイヤ２処理方法の実施例の各プロセスが実現され、かつ同じ技術効果を奏することもできる。重複を避けるために、ここでは繰り返して記載しない。
【０１８６】
具体的に、コンピュータ読み取り可能な記憶媒体がＣＵに応用される場合、前記コンピュータプログラムがプロセッサによって実行されると、チャネル再構築指示情報をＤＵに送信するステップと、前記ＤＵから送信される応答メッセージを受信するステップと、前記応答メッセージに基づき、ＲＲＣ再構成メッセージを生成するステップと、前記ＲＲＣ再構成メッセージをＵＥに送信し、前記ＵＥによって対応な処理が行われるステップとが実現される。
【０１８７】
コンピュータ読み取り可能な記憶媒体がＤＵに応用される場合、前記コンピュータプログラムがプロセッサによって実行されると、ＣＵから送信されるチャネル再構築指示情報を受信するステップと、前記ＣＵに応答メッセージを送信するステップとが実現され、前記ＣＵは、前記応答メッセージに基づき、ＲＲＣ再構成メッセージを生成し、前記ＲＲＣ再構成メッセージをＵＥに送信し、前記ＵＥによって対応な処理が行われる。
【０１８８】
コンピュータ読み取り可能な媒体は、永久的媒体や非永久的媒体、リムーバブル媒体やナンリムーバブル媒体を含み、あらゆる方法や技術によって情報の記憶が実現される。情報は、コンピュータ読み取り可能な指令、データ構造、プログラムのモジュールまたはほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体またはほかの内部記憶技術、ＣＤ−ＲＯＭ、ＤＶＤまたはほかの光学的記憶媒体、磁気カセット式磁気テープ、磁気ディスクまたはほかの磁気記憶デバイスまたはほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０１８９】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【０１９０】
上述した本開示の実施例の番号は、単に記載用のものであり、実施例の優劣を代表しない。
【０１９１】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的または従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機またはネットワークデバイスなど）に実行させるいくつかの指令を含む。
【０１９２】
以上記載されたのは、本開示の好適な実施形態である。なお、当業者は、本開示に記載されている原理を逸脱せずに様々な改良や修飾をすることもできる。これらの改良や修飾も、本開示の保護範囲として見なされるべきである。
【図１】
2021503241.tif 000003
【図２】
2021503241.tif 000004
【図３】
2021503241.tif 000005
【図４】
2021503241.tif 000006
【図５】
2021503241.tif 000007
【図６】
2021503241.tif 000008
【図７】
2021503241.tif 000009
【図８】
2021503241.tif 000010
【図９】
2021503241.tif 000011
【図１０】
2021503241.tif 000012
【図１１】
2021503241.tif 000013
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
ＣＵ（Ｃｅｎｔｒａｌ  Ｕｎｉｔ）に応用されるレイヤ２処理方法において、
チャネル再構築指示情報をＤＵ（Ｄｉｓｔｒｉｂｕｔｅｄ  Ｕｎｉｔ）に送信することと、
前記ＤＵから送信される応答メッセージを受信することと、
前記応答メッセージに基づき、ＲＲＣ（Ｒａｄｉｏ  Ｒｅｓｏｕｒｃｅ  Ｃｏｎｔｒｏｌ）再構成メッセージを生成することと、
前記ＲＲＣ再構成メッセージをＵＥ（Ｕｓｅｒ  Ｅｑｕｉｐｍｅｎｔ）に送信し、前記ＵＥによって対応な処理が行われることとを含む、レイヤ２処理方法。
【請求項２】
チャネル再構築指示情報をＤＵに送信することは、
前記ＤＵによるレイヤ２リセット処理、または、前記ＤＵによる同期再構成処理を指示するためのレイヤ２リセット指示情報または同期再構成指示情報を前記ＤＵに送信することを含む、請求項１に記載の方法。
【請求項３】
レイヤ２リセット指示情報または同期再構成指示情報を前記ＤＵに送信することは、
ＵＥコンテキスト修正メッセージの１つの指示ビットによって、前記レイヤ２リセット指示情報または同期再構成指示情報を前記ＤＵに送信すること、または、
ＵＥ移動指令メッセージによって、前記レイヤ２リセット指示情報または同期再構成指示情報を前記ＤＵに送信することを含む、請求項２に記載の方法。
【請求項４】
ＵＥ移動指令メッセージによって、前記レイヤ２リセット指示情報または同期再構成指示情報を前記ＤＵに送信することは、
ＵＥ移動指令メッセージにＲＲＣメッセージを付帯しない方式で、前記レイヤ２リセット指示情報または同期再構成指示情報を前記ＤＵに暗黙的に送信すること、または、
切り替え先セルが現在のサービングセルであることをＵＥ移動指令メッセージで明示的に示す方式で、前記レイヤ２リセット指示情報または同期再構成指示情報を前記ＤＵに送信することを含む、請求項２に記載の方法。
【請求項５】
前記ＤＵから送信される応答メッセージを受信することは、
前記ＤＵから送信される同期構成パラメータ情報を受信することを含み、
前記ＤＵから送信される同期構成パラメータ情報を受信することは、
前記ＤＵからＲＲＣコンテナ方式で送信される前記同期構成パラメータ情報を受信することを含み、
前記同期構成パラメータ情報は、同期用の専用アクセスリソース情報および／または新規目標リソースでのユーザＩＤを含む、請求項２に記載の方法。
【請求項６】
前記応答メッセージには、前記ＤＵから各ＤＲＢ（Ｄａｔａ  Ｒａｄｉｏ  Ｂｅａｒｅｒ）に新たに割り当てたダウンリンク伝送アドレスが付帯されており、
レイヤ２リセット指示情報または同期再構成指示情報を前記ＤＵに送信した後に、
前記ＵＥから受信したすべてのＤＲＢでのアップリンクＰＤＣＰ  ＰＤＵデータを前記ＤＵから受信し、前記ＤＵから送信されるダウンリンク伝送状態情報またはほかの新規データの伝送を要求する指示情報を受信することをさらに含み、
前記ＤＵから送信されるダウンリンク伝送状態情報またはほかの新規データの伝送を要求する指示情報を受信した後に、
すべてのＤＲＢに対し新規キーをイネーブルにして暗号化及び復号を行うこと、または、
前記ＤＵからの応答メッセージに基づき、すべてのＤＲＢに対し新規キーをイネーブルにして暗号化及び復号を行うこと、または、
前記ＵＥからのＰＤＣＰ状態報告情報に基づき、すべてのＤＲＢに対し新規キーをイネーブルにして暗号化及び復号を行うこと、または、
前記ＵＥからのＲＲＣ再構成完了メッセージに基づき、すべてのＤＲＢに対し新規キーをイネーブルにして暗号化及び復号を行うこと、または、
前記レイヤ２リセット指示情報または同期再構成指示情報の送信後にイネーブルにされたローカルタイマがタイムオーバーになると、すべてのＤＲＢに対し新規キーをイネーブルにして暗号化及び復号を行うことをさらに含む、請求項２に記載の方法。
【請求項７】
前記ダウンリンク伝送状態情報は、古いデータ伝送終了指示情報を含み、
前記ＤＵから送信されるダウンリンク伝送状態情報またはほかの新規データの伝送を要求する指示情報を受信した後に、
任意の１つのＤＲＢのダウンリンク伝送状態情報またはほかの新規データの伝送を要求する指示情報に基づき、すべてのＳＲＢ（Ｓｉｇｎａｌｉｎｇ  Ｒａｄｉｏ  Ｂｅａｒｅｒ）に対し新規キーをイネーブルにして暗号化及び復号を行うこと、または、
前記ＤＵからの応答メッセージに基づき、すべてのＳＲＢに対し新規キーをイネーブルにして暗号化及び復号を行うこと、または、
前記レイヤ２リセット指示情報または同期再構成指示情報の送信後にイネーブルにされたローカルタイマがタイムオーバーになると、すべてのＳＲＢに対し新規キーをイネーブルにして暗号化及び復号を行うことをさらに含む、請求項６に記載の方法。
【請求項８】
前記ＵＥによる対応な処理は、レイヤ２リセット処理またはすべてのベアラに対応する論理チャネルの再構築処理である、請求項２〜７のいずれか一項に記載の方法。
【請求項９】
前記チャネル再構築指示情報は、論理チャネル再構築が必要なベアラを指示し、前記論理チャネル再構築が必要なベアラに対し論理チャネル再構築処理を実行するよう前記ＤＵに指示することに用いられる、請求項１に記載の方法。
【請求項１０】
チャネル再構築指示情報をＤＵに送信することは、
ＵＥコンテキスト修正メッセージの１つの明示的な指示ビットによって、前記チャネル再構築指示情報を前記ＤＵに送信すること、または、
ＵＥコンテキスト修正メッセージでＤＲＢを追加または削除する方式で、前記チャネル再構築指示情報を前記ＤＵに暗黙的に送信することを含む、請求項９に記載の方法。
【請求項１１】
前記ＤＵから送信される応答メッセージを受信することは、
前記ＤＵから送信される新規の論理チャネルＩＤ情報を受信することを含み、
前記ＤＵから送信される新規の論理チャネルＩＤ情報を受信することは、
前記ＤＵからＲＲＣコンテナ方式で送信される前記新規の論理チャネルＩＤ情報を受信することを含む、請求項９に記載の方法。
【請求項１２】
前記応答メッセージには、前記ＤＵから前記論理チャネル再構築が必要なベアラに対し新たに割り当てたダウンリンク伝送アドレスが付帯されており、
チャネル再構築指示情報をＤＵに送信した後に、
前記ＵＥから受信した前記論理チャネル再構築が必要なベアラでのアップリンクＰＤＣＰ  ＰＤＵデータを前記ＤＵから受信し、前記ＤＵから送信されるダウンリンク伝送状態情報またはほかの新規データの伝送を要求する指示情報を受信することをさらに含み、
前記ＤＵから送信されるダウンリンク伝送状態情報またはほかの新規データの伝送を要求する指示情報を受信した後に、
前記アップリンクＰＤＣＰ  ＰＤＵデータに対応するＰＤＵを処理することをさらに含み、
前記ダウンリンク伝送状態情報は、古いデータ伝送終了指示情報を含み、
前記ＵＥによる対応な処理は、前記論理チャネル再構築が必要なベアラに対応する論理チャネルの再構築処理である、請求項９に記載の方法。
【請求項１３】
ＤＵに応用されるレイヤ２処理方法において、
ＣＵから送信されるチャネル再構築指示情報を受信することと、
前記ＣＵに応答メッセージを送信することとを含み、
前記ＣＵは、前記応答メッセージに基づき、ＲＲＣ再構成メッセージを生成し、前記ＲＲＣ再構成メッセージをＵＥに送信し、前記ＵＥによって対応な処理が行われる、レイヤ２処理方法。
【請求項１４】
有線インタフェースと、トランシーバと、メモリと、プロセッサと、前記メモリに記憶されて前記プロセッサで実行可能なコンピュータプログラムを含むＣＵであって、
前記有線インタフェースは、チャネル再構築指示情報をＤＵに送信し、前記ＤＵから送信される応答メッセージを受信することに用いられ、
前記プロセッサは、前記メモリからプログラムを読み取ることによって、前記応答メッセージに基づいてＲＲＣ再構成メッセージを生成するプロセスを実行することに用いられ、
前記トランシーバは、前記ＲＲＣ再構成メッセージをＵＥに送信することに用いられ、前記ＵＥによって対応な処理が行われる、ＣＵ。
【請求項１５】
有線インタフェースと、トランシーバと、メモリと、プロセッサと、前記メモリに記憶されて前記プロセッサで実行可能なコンピュータプログラムを含むＤＵであって、
前記有線インタフェースは、ＣＵから送信されるチャネル再構築指示情報を受信し、前記ＣＵに応答メッセージを送信することに用いられ、
前記ＣＵは、前記応答メッセージに基づき、ＲＲＣ再構成メッセージを生成し、前記ＲＲＣ再構成メッセージをＵＥに送信し、前記ＵＥによって対応な処理が行われる、ＤＵ。
【国際調査報告】
2021503241.tif 000014
2021503241.tif 000015
2021503241.tif 000016
2021503241.tif 000017